(57)【要約】個人的物品の安全および保管を提供するための金庫。金庫は、筐体と、ドアと、ユーザ操作可能ロック機構と、ユーザ操作可能解除機構とを含む。ドアは、ユーザ操作可能ロック機構の適切な操作およびユーザ操作可能解除機構の適切な操作の両方によってのみ開放することができる。ユーザ操作可能解除機構は、解除機構を操作しようとする不正な試みによる金庫の内容物の盗難のリスクを減少させるように配置される。金庫は、金庫の盗難のリスクを減少させるために、筐体を構造に据え付けるための据え付け装置を含み得る。
2013509516.tif 000002
【特許請求の範囲】
【請求項１】
金庫であって、
内部空洞を規定する筐体であって、前記内部空洞は、前記筐体の外部表面における開口部と連通する、筐体と、
前記筐体に組み立てられたドアであって、前記内部空洞が封入された閉鎖位置と、前記内部空洞がアクセス可能である開放位置との間を移動可能であるドアと、
少なくとも部分的に前記筐体内に配置されたユーザ操作可能ロック機構であって、前記ロック機構は、少なくとも１つのロック部材を備え、前記少なくとも１つのロック部材は、前記ドアが前記閉鎖位置にある場合に、前記ドアをロック状態にしっかりと係合するように構成されている、ユーザ操作可能ロック機構と、
少なくとも部分的に前記筐体内に配置されたユーザ操作可能解除機構であって、前記解除機構は、少なくとも１つの解除部材を備え、前記少なくとも１つの解除部材は、前記ドアが前記閉鎖位置にある場合に、前記ドアを前記ロック状態にしっかりと係合するように構成されている、ユーザ操作可能解除機構と
を備え、
前記ドアが前記ロック状態にある場合、前記ユーザ操作可能ロック機構の適切な操作と前記ユーザ操作可能解除機構の適切な操作との両方が、前記ロック状態からロック解除状態に前記ドアを係脱し、前記閉鎖位置から前記開放位置に前記ドアが移動されることを可能にする、金庫。
【請求項２】
前記筐体に接続されたカバーをさらに備え、前記カバーは、覆っている位置において前記ユーザ操作可能ロック機構を覆い、覆われていない位置において前記ユーザ操作可能ロック機構の少なくとも一部を露出させるために移動可能である、請求項１に記載の金庫。
【請求項３】
前記カバー部材は、前記覆っている位置から前記覆われていない位置に回転可能である、請求項２に記載の金庫。
【請求項４】
前記ユーザ操作可能ロック機構は、組み合わせダイヤル配置を備えている、請求項１に記載の金庫。
【請求項５】
前記組み合わせダイヤル配置は、複数の組み合わせダイヤルを備えている、請求項４に記載の金庫。
【請求項６】
前記ユーザ操作可能ロック機構は、適切な配向への前記複数の組み合わせダイヤルのユーザ回転によって適切に操作される、請求項５に記載の金庫。
【請求項７】
前記ユーザ操作可能解除機構は、一式のボタンを備え、前記一式のボタンは、前記一式のボタンの各々のユーザ押下によって、前記ユーザ操作可能解除機構が適切に操作されるように配置されている、請求項１に記載の金庫。
【請求項８】
バネ負荷部材をさらに備え、前記バネ負荷部材は、前記ドアが前記ロック解除状態にある場合に、前記閉鎖位置から前記開放位置に前記ドアを移動させるように構成されている、請求項１に記載の金庫。
【請求項９】
前記バネ負荷部材は、ねじりバネであり、前記ねじりバネは、前記筐体内に配置され、前記ドアの内側表面に接触している、請求項８に記載の金庫。
【請求項１０】
金庫であって、
内部空洞を規定する筐体であって、前記内部空洞は、前記筐体の外部表面における開口部と連通する、筐体と、
前記筐体に組み立てられたドアであって、閉鎖位置と開放位置との間を移動可能であるドアと、
少なくとも部分的に前記筐体内に配置された第１のロック機構であって、前記第１のロック機構は、少なくとも１つのロック部材を備え、前記少なくとも１つのロック部材は、前記ドアが前記閉鎖位置にある場合に、前記ドアをロック状態にしっかりと係合するように構成されている、第１のロック機構と、
少なくとも部分的に前記筐体内に配置された第２のロック機構であって、前記第２のロック機構は、少なくとも１つの解除部材を備え、前記少なくとも１つの解除部材は、前記ドアが前記閉鎖位置にある場合に、前記ドアを前記ロック状態にしっかりと係合するように構成されている、第２のロック機構と、
前記筐体内に配置されたドア開放機構と
を備え、
前記第１のロック機構と前記第２のロック機構との連続した適切な操作が、前記ドアを前記ロック状態から係脱し、前記ドア開放機構が、前記閉鎖位置から前記開放位置に前記ドアを移動させることを可能にする、金庫。
【請求項１１】
前記筐体を構造に据え付けるための据え付け装置を備え、前記筐体の前記構造からの分解を防止するために、前記ドアが前記ロック状態にある場合、前記据え付け装置へのアクセスは制限される、請求項１０に記載の金庫。
【請求項１２】
前記据え付け装置は、シャックルを備えている、請求項１１に記載の金庫。
【請求項１３】
金庫であって、
内部空洞を規定する筐体であって、前記内部空洞は、前記筐体の外部表面における開口部と連通する、筐体と、
前記筐体に組み立てられたドアであって、前記内部空洞を封入する閉鎖位置と、前記内部空洞を露出させる開放位置との間を移動可能であるドアと、
前記筐体内に配置されたロック機構であって、前記ロック機構は、少なくとも部分的に前記筐体の外部表面上に配置されたユーザ操作可能ロックインターフェースと、少なくとも１つのロック部材とを備え、前記少なくとも１つのロック部材は、前記ドアが前記閉鎖位置にある場合に、前記ドアをロック状態にロック係合するように構成されている、ロック機構と、
前記筐体内に配置された解除機構であって、前記解除機構は、少なくとも部分的に前記筐体の外部表面上に配置されたユーザ操作可能解除インターフェースと、少なくとも１つの解除部材とを備え、前記少なくとも１つの解除部材は、前記ドアが前記閉鎖位置にある場合に、前記ドアを前記ロック状態にしっかりと係合するように構成されている、解除機構と、
前記筐体内に配置されたドア開放機構と
を備え、
前記ドアが前記ロック状態にある場合、前記ユーザ操作可能ロックインターフェースの最初の適切な操作と、前記解除機構の次の適切な操作とが、前記ドアを前記ロック状態から係脱し、前記ドア開放機構によって、前記閉鎖位置から前記開放位置に前記ドアが押し進められることを可能にする、金庫。
【請求項１４】
前記ユーザ操作可能ロックインターフェースは、支柱の周りに据え付けられた複数の組み合わせダイヤルを備え、前記複数の組み合わせダイヤルの各々は、平面戻り止めを規定し、各戻り止めは、前記複数の組み合わせダイヤルの各々が適切な配向に回転された場合に整列する、請求項１３に記載の金庫。
【請求項１５】
前記ユーザ操作可能解除インターフェースは、前記複数の組み合わせダイヤルの各々が、適切な配向に回転された場合にのみ、適切に操作され得る、請求項１４に記載の金庫。
【請求項１６】
前記少なくとも１つのロック部材は、ダイヤルブロッカーを備え、前記ダイヤルブロッカーは、前記複数の組み合わせダイヤルが前記適切な配向以外に回転されている場合、前記ユーザ操作可能解除インターフェースの適切な操作を阻止する位置に付勢されている、請求項１４に記載の金庫。
【請求項１７】
前記ユーザ操作可能解除インターフェースは、一式のボタンを備え、前記一式のボタンは、ユーザが前記一式のボタンの各々を押下した場合にのみ、前記解除機構が適切に操作され得るように配置されている、請求項１３に記載の金庫。
【請求項１８】
前記一式のボタンの各々は、前記複数の組み合わせダイヤルの各々が前記適切な配向に回転された場合にのみ、押下され得る、請求項１７に記載の金庫。
【請求項１９】
前記少なくとも１つの解除部材は、ラッチを備え、前記ラッチは、前記閉鎖位置から前記開放位置に前記ドアが移動することをブロックするために付勢されている、請求項１７に記載の金庫。
【請求項２０】
前記ドア開放機構は、バネ負荷部材を備え、前記バネ負荷部材は、前記ユーザ操作可能解除インターフェースの適切な操作によって、前記閉鎖位置から前記開放位置に前記ドア移動させるように構成されている、請求項１３に記載の金庫。
【発明の詳細な説明】
【技術分野】
【０００１】
（関連出願の引用）
本願は、米国仮特許出願第６１／２５７，２５３号（２００９年１１月２日出願、名称「ＳＡＦＥ  ＷＩＴＨ  ＤＵＡＬ  ＬＯＣＫＩＮＧ  ＭＥＣＨＡＮＩＳＭ」）の利益を主張する。該出願の全開示は、本願と矛盾しない範囲において、引用により本明細書に引用される。
【背景技術】
【０００２】
金庫は、多くの内部および外部環境において使用され、封入体にドアまたは他のそのようなアクセスポートを提供することによって、種々の物品へのアクセスを制限する。金庫は、典型的には、例えば、組み合わせロック、パッドロック、または鍵操作ラッチ等のロック機構を含み、１人以上の認証ユーザに対して、金庫の内容物へのアクセスを制限する。いくつかの用途は、例えば、鍵等のより小さい物品の安全な保管を必要とし得る。そのような用途の一実施例は、多くの個人が随時アクセスを必要とし得る場所もしくは構造（例えば、保管ロッカー、オフィスビル、または、車両の一部あるいは、トラック、トレーラー、またはカートップ／貨物輸送機等の車両に据え付けられた構造等）へのアクセスを得るために使用される鍵を伴う。
【０００３】
多数のユーザが、そのような鍵へのアクセスを必要とする場合に、鍵が使用される場所または構造あるいはその近傍に鍵を保管することが望ましいであろう。安全ではない場所に鍵を維持することは、鍵の紛失または盗難のリスクとなり、それによって、鍵が関連付けられるロックを危険にさらすことになるが、従来の金庫および他のロック封入体は、鍵を安全に保管するために非実践的または非効果的であり得る。従来の金庫等の比較的に大きなロックされた封入体は、審美的に望ましくなく、不便であって、または邪魔になり得、例えば、壁またはドアに容易かつ安価に据え付け可能ではないであろう。より小さい可搬性金庫、任意の潜在的認証ユーザがアクセスし得る場所に維持される場合、その内容物とともに、金庫全体の紛失または盗難のリスクがあるであろう。
【発明の概要】
【課題を解決するための手段】
【０００４】
本発明の例証される実施形態では、金庫は、二重安全特徴を有し、金庫内に保管された内容物への不正アクセスを阻止する。金庫は、組み合わせロック等のユーザロックインターフェースと、１つ以上のサイドインターフェースボタン等のユーザ解除機構とを含み得る。ボタンは、ロックインターフェースの適切な操作に先立って、いじくられた場合、失敗するように設計され得る。金庫は、実施例として、壁に据え付けられた掛け金に固着されるシャックル、ドアハンドルの周囲に位置付けられるシャックル、または壁に直接据え付けられる筐体等、いくつかの装置によって、場所に固着され得る。据え付け装置は、金庫の盗難のリスクを減少させる。
【図面の簡単な説明】
【０００５】
本発明の特徴および利点は、付随の図面を参照して、以下の発明を実施するための形態から明白となるであろう。
【図１】図１は、部分的に開放されたカバーと、露出された一式の組み合わせダイヤルを示す、金庫の正面斜視図である。
【図２ａ】図２ａは、カバーが一式の組み合わせダイヤルを覆って閉鎖された、シャックルが無い金庫を示す、別の金庫の正面斜視図である。
【図２ｂ】図２ｂは、一式の組み合わせダイヤルを覆って閉鎖された、比較的に短縮された長さのカバーを示す、さらに別の金庫の正面斜視図である。
【図３】図３は、カバーが完全に開放され、組み合わせダイヤルが露出されて示される、図１の金庫の正面図である。
【図４ａ】図４ａは、金庫のさらなる特徴を例証するために、金庫の一部が除去されて示される、図３の金庫の背面図である。
【図４ｂ】図４ｂは、一部図４ａの一部の拡大図である。
【図５ａ】図５ａは、解除タブと係合される、サイドボタンを示す、図１の金庫のサイドボタンアセンブリの背面斜視図である。
【図５ｂ】図５ｂは、図５ａのサイドボタンアセンブリの分解図である。
【図６ａ】図６ａは、金庫の一部が除去されて示され、一式の組み合わせダイヤルの背面側を例証する、図１の金庫の一部の背面斜視図である。
【図６ｂ】図６ｂは、図６ａの部分的分解図である。
【図７】図７は、内部空洞を例証するために、完全に開放されたカバーおよびドアを示す、図１の金庫の正面斜視図である。
【図８ａ】図８ａは、内部空洞および挿入プレートを例証するために、完全に開放されたカバーおよびドアを示す、図２ａの金庫の背面斜視図である。
【図８ｂ】図８ｂは、図８ａの金庫の部分的分解図である。
【発明を実施するための形態】
【０００６】
本明細書は、本発明の実施形態について説明しているにすぎず、請求項の範囲をいかようにも限定することを意図するものではない。実際には、特許請求される本発明は、好ましい実施形態よりも広義であり、それに限定されず、特許請求の範囲で使用される用語は、完全なる通常の意味を有する。
【０００７】
本願の発明の側面によると、金庫は、少なくとも２つの機構を含み、金庫の内容物の盗難のリスクを減少させるように提供され得る。各機構は、直接または間接的にユーザ操作可能であり得る。機構は、ロック機構および解除機構であり得、それぞれ、金庫の内容物へのユーザアクセスを提供するための適切な操作を必要とする。ロック機構は、ケージブロッカー等のロック部材を含み、解除機構は、ラッチ等の解除部材を含み得る。金庫は、ドアによって封入され得る、内側空洞を含む。
【０００８】
例示的金庫は、ロック位置からロック解除位置に移動可能なドアを含む。ロック機構が、適切に操作され、解除機構が、適切に操作されると、ドアは、ロック解除位置に移動し、開放されることができる。ロック機構は、ロック部材をロック解除位置に移動させるように、適切な配向に移動され得る、複数の組み合わせダイヤルを含む。そのようなロック解除位置では、ユーザは、解除機構を適切に操作し得る。
【０００９】
例示的金庫は、筐体と、ドアと、ロック状態とロック解除状態との間を移動するための第１および第２のロック機構と、閉鎖状態から開放状態に、ドアをロック解除状態に移動するためのドア開放機構とを含む。筐体は、例えば、鍵等の貴重または重要な物品の保管のための内部区画を規定する。一実施形態では、ロック機構は、単一または多数の組み合わせダイヤルを利用する、組み合わせロックである。ユーザインターフェースは、第１のロック機構の適切な操作によって、ユーザが、第２のロック機構、例えば、アクセスボタンを操作し、ロック可能ドアを開放し、区画へのアクセスを得ることが可能なように構成されている。したがって、金庫は、二重ロックシステム特性を有する。
【００１０】
金庫は、例えば、建物または車両等の構造に据え付け可能であって、金庫の盗難のリスクを減少させてもよい。一実施形態では、金庫は、例えば、掛け金、フック、ドアハンドル、またはドアノブ等の構造に据え付けることができる、シャックルを含む。シャックルは、短脚および長脚を有し、長脚は、ロック機構のうちの少なくとも１つがロック状態にある場合に、しっかりと係合される。金庫は、シャックルが無く、金庫内の他の据え付け装置によって据え付け可能であり得る。
【００１１】
従来の個人的金庫またはロックボックスは、大きな開放ボタンまたは突出ノブを有する。これらのボタンは、攻撃を受けやすい。本発明の金庫は、従来のロックボックス金庫よりより高い安全性を可能にする。その構造は、１つ以上のボタンの不正物理的操作によって、金庫が無理に開放されることを非常に困難にする。本発明の金庫は、適切な操作によって、金庫の開放を可能にする少なくとも１つの一体型ボタンを組み込む。サイドボタンは、外側筐体の外側表面と同一平面にある。これらのボタンは、筐体外壁から突出しないため、ボタンは、攻撃を受けにくい。より詳細に論じると、１つ以上のボタンを締め付ける動作が、ドアロック機構と連動し、発明の二重ロック構造を生成する。
【００１２】
次に、図面を参照すると、図１は、例証される実施形態の金庫１０の正面斜視図である。金庫は、筐体２４の底面の蝶番を中心として回転する、カバー２２を含む。カバー２２は、部分的開放位置に示され、金庫１０が使用されない場合に、ユーザ操作可能ロックインターフェースを保護するために提供される。示されるように、ユーザ操作可能ロックインターフェースは、複数の組み合わせダイヤルである。ダイヤルは、筐体内に配置されるロック機構と相互作用する。筐体２４は、例えば、鍵等の物品の保管のための内部区画または空洞（図示せず）を規定する。
【００１３】
論じられるように、カバー２２が開放位置にある状態では、一式の組み合わせダイヤル２８、３０、３２、３４は、露出される。シャックル２６は、金庫１０の上部に位置付けられる。シャックル２６は、例えば、壁に据え付けられた掛け金を通して、またはドアハンドルの周囲等、金庫１０を種々の場所に固着するために利用することができる。金庫１０は、筐体の両側に対向するサイドボタン３６ａ、３６ｂを含み、サイドボタンは、一式の組み合わせダイヤル２８、３０、３２、３４が、ユーザによって、所定の認証された組み合わせに回された場合に、圧縮され得る。サイドボタン３６ａ、３６ｂが、図３に示される、方向Ａ１に内方圧縮されると、金庫ドア３５は、ユーザに内部区画へのアクセスを提供するように開放され得る。
【００１４】
図２ａは、別の金庫の正面斜視図である。シャックルの無い金庫４０は、壁に据え付けることができ、カバー２２が閉鎖されて例証される。したがって、組み合わせダイヤルは、非可視である。壁に据え付けられた金庫４０は、後に詳述される。図２ｂは、別の金庫４２の正面斜視図である。カバー４４は、一式の組み合わせダイヤル（図示せず）を覆って位置付けられる。カバー４４は、他の例証される金庫２０、４０のカバー２２と比較して、長さが比較的に短い。関節運動アーム（図示せず）が、ロックの本体に沿って、下方位置へとカバーを移行させ、ユーザ操作のためにダイヤルを露出させる。本発明が、任意の好適な長さのカバーを伴って、任意のカバーを伴わずに、およびシャックルを伴って、または伴わずに、実践することができることは、当業者には明白であるはずである。
【００１５】
金庫１０の背面図が、図４ａに示される。カバー２２は、開放され、筐体２４およびドア３５は、金庫１０の付加的特徴を例証するために示されない。図４ｂは、図４ａの一部の拡大図であって、サイドボタンアセンブリ３８ｂを含む（図５ａおよび５ｂ参照）。図４ａの例証される実施形態では、本質的に、鏡像サイドボタンアセンブリ３６ａが、金庫１０の両側に位置付けられる。図４ｂに最も良く見られるように、サイドボタン３６ｂは、解除タブ５０と係合される。図４ａおよび４ｂに示される位置では、ラッチ６０の外側端５８ｂは、閉鎖位置（図３参照）から開放位置（図７参照）へのドアの移動をブロックする。外側縁は、先細にされ得る。一式の組み合わせダイヤルが、認証ユーザによって、所定の組み合わせに適切に操作されると、ユーザは、ボタン３６ａ、３６ｂを係合して、ドア３５を開放し、内部区画の内容物へのアクセスを得る。サイドボタン３６ａ、３８ｂを平坦表面へ押動させることによって、解除タブ５０の舌状部５２が、ラッチ６０の外側端５８（図６ａに図示）に対して、内方に押下される。
【００１６】
発明のロックの一方または両側に、サイドボタンアセンブリを含み得る。例証されるように、ロック１０は、サイドボタンアセンブリ３８ａ、３８ｂを含む。それに関わらず、サイドボタンおよび解除タブアセンブリは、不正ユーザによる攻撃または他の操作に抵抗するように配置される。サイドボタンは、筐体の外側表面と同一表面にあって、強引にはずすことを制限する。サイドボタンはまた、離脱不正開放防止装置を含む。図５ａは、解除タブ５０と係合されて示される、サイドボタン３６ａの背面斜視図である。２つの突起５４は、解除タブ上の開口５６に係合するように定寸される。他の係合設計が使用され得る。不正ユーザが、サイドボタン３６ｂを強引にはずそうとする場合、または攻撃しようとする場合、係合された解除タブ５０が、ボタンから離脱する。タブ５０が、ボタンから係脱されると、ユーザが、舌状部５２によってラッチ６０を駆動させることが益々困難になり、解除機構は、金庫の開放を阻止する。
【００１７】
論じられるように、例示的金庫は、２つの機構を有し、金庫内容物への不正アクセスを阻止する。ユーザが、サイドボタンを適切に操作可能となるのに先立って、ロック機構は、適切に操作されなければならない。図６ａは、筐体、ドア、またはカバーが示されない、金庫１０の一部の背面図である。金庫の背面側および組み合わせダイヤル２８、３０、３２、３４が、示される。４つの組み合わせダイヤルは、ユーザによってアクセス可能な筐体２４内のスロットを通して延在する。例証されるダイヤル２８、３０、３２、３４は、「０」から「９」と標識された１０個の増分値を提案するように示されるが、ダイヤルは、異なる数の増分および異なる標識、例えば、文字、記号、または色が提供され得る。さらに、異なる数のダイヤルが使用され得る。
【００１８】
図６ａおよび６ｂに示されるように、金庫１０の二重ロック構造は、第２のロック機構を含む。第２の機構は、解除機構として機能し、第１のロック機構が適切に操作された後、ドアの開放を可能にし得る。示されるように、解除機構は、一体型バネ６２を伴う対向するラッチ６０を含む。対向するラッチは、２つの整列されたスロット７６を規定する。解除機構は、ロックタブ６６を伴うケージ状ブロッカー６４と、複数の組み合わせダイヤルの４つのダイヤルハブ６８とを含む第１のロック機構の選択特徴と相互作用するように配置および構成される。各ハブは、平面表面を規定する。ドア３５が、閉鎖位置およびロック状態にある状態では、タブ６６は、図６ａに示されるように、ラッチ６０とスロット７６の外側との間に位置付けられる。本位置では、ボタン３６ａ、３６ｂの押下による内方移動は、タブ６６によって阻止される。
【００１９】
４つのダイヤル２８、３０、３２、３４が、所定の認証された組み合わせに回転されると、戻り止め７０を伴うダイヤルハブ６８は、配置において軸方向に整列し、平面表面を生成する。平面表面が生成されると、ケージ状ブロッカー６４の底面部分が、バネ７４の付勢によって、内方に移動することを可能にされる。本位置では、ケージ状ブロッカーのロックタブ６６は、金庫１０の外側に向かって移動し、各ラッチ６０によって規定されるスロット７６内へと移動する。ケージ状ブロッカー６４が、ラッチ６０の内方移動を可能にするように十分に移動された状態では、サイドボタン３６ａ、３６ｂは、方向Ａ１に沿って内側に圧縮され、一体型バネ６２を伴うラッチ６０を開放するように駆動することができる。したがって、各ラッチ６０の外方縁５８は、開口部５９の外側縁をクリアし、ロック状態からロック解除状態にドア３５を移動させる。ラッチが除去された状態では、ドア３４は、金庫１０の内部部分にアクセスするために、金庫筐体２４から移動可能である。例えば、ドアは、図７に示される開放位置に、力によって、バネ開放し得る。開放位置におけるドアによって可視であるように、第１および第２のロック機構は、ドアの上表面の内側の筐体内に据え付けられている。開口９２が筐体内側壁内に示され、ドアが閉鎖位置にある場合、その開口９２を通ってラッチ外側縁５８ｂが延在する。
【００２０】
論じられるように、金庫の追加安全性は、金庫の外側表面上の任意の外部突起または延長部を有することなく、向上される。そのために、金庫２０は、図７および８ａに示されるように、ねじりバネ９０によって付勢されるドア２４を含む。金庫は、ボタン３６ａ、３６ｂが解除されると、ドアをバネ開放させる一体型バネを組み込む。バネ９０は、任意の実施形態において使用され、形状、場所、およびサイズを変更し得る。
【００２１】
図８ｂは、図８ａの金庫２０の部分的分解図である。壁に据え付けられた金庫２０は、据え付けボルトインターフェースを強化するための挿入部８０を有する。挿入部は、鋼鉄または任意の他の好適な材料から成り得る。挿入部８０は、内側保管空洞内に定置される。次いで、据え付けボルト８２は、挿入部内の対応する孔８４および筐体内の孔８６を通して、金庫２０の内側に固着される。金庫２０が、不正ユーザによって、壁から強引にはずされる場合、据え付けボルト頭部は、挿入部８０によって固着されたままである。本配置は、ボルト頭部が、挿入部８０内の孔８４を通して引張されることが困難であるため、より高い強度のアセンブリをもたらす。
【００２２】
例示的実施形態における組み合わせとして具現化されるように、本明細書では、本発明の種々の発明側面、概念、および特徴が、説明および例証され得るが、これらの種々の側面、概念、および特徴は、個々に、または種々の組み合わせ、およびその副次的組み合わせとして、多くの代替実施形態において使用され得る。本明細書において明示的に排除されない限り、あらゆるそのような組み合わせおよび副次的組み合わせは、本発明の範囲内にあるものと意図される。さらに、本発明の種々の発明側面、概念、および特徴（代替の材料、構造、構成、方法、回路、デバイスおよび構成要素、ソフトウェア、ハードウェア、制御論理、形、具合、および機能に関する代替等）に関する種々の代替実施形態が、本明細書に説明され得るが、そのような説明は、現在既知または後に開発されるかにかかわらず、利用可能な代替実施形態の完全または排他的リストとして意図されるものではない。当業者は、そのような実施形態が、本明細書に明示的に開示されない場合であっても、容易に、本発明の側面、概念、または特徴のうちの１つ以上を付加的実施形態に採用し、本発明の範囲内で使用し得る。加えて、本発明のいくつかの特徴、概念、または側面は、好ましい配列あるいは方法であるとして、本明細書に説明され得るが、そのような説明は、明示的に記載されない限り、そのような特徴が必須または必要であることを示唆することを意図するものではない。さらに、例示的または代表的値および範囲が、本開示の理解を支援するために含まれ得る。しかしながら、そのような値および範囲は、限定的意味で解釈されるべきではなく、明示的に記載される場合にのみ臨界値または範囲として意図される。さらに、種々の側面、特徴、および概念は、発明または発明の一部として、本明細書に明示的に識別され得るが、そのような識別は、排他的として意図されるものではなく、むしろ、具体的発明またはその一部として明示的に識別されることなく、本明細書に完全に説明される発明側面、概念、および特徴であり得る。例示的方法またはプロセスの説明は、明示的に記載されない限り、あらゆる場合に必要とされる全ステップを含意するものとして限定されるものではなく、あるいはステップが必須または必要として解釈されるように提示される順番でもない。
【図１】
2013509516.tif 000003
【図２Ａ】
2013509516.tif 000004
【図２Ｂ】
2013509516.tif 000005
【図３】
2013509516.tif 000006
【図４Ａ】
2013509516.tif 000007
【図４Ｂ】
2013509516.tif 000008
【図５Ａ】
2013509516.tif 000009
【図５Ｂ】
2013509516.tif 000010
【図６Ａ】
2013509516.tif 000011
【図６Ｂ】
2013509516.tif 000012
【図７】
2013509516.tif 000013
【図８Ａ】
2013509516.tif 000014
【図８Ｂ】
2013509516.tif 000015
【手続補正書】
【提出日】平成24年6月19日(2012.6.19)
【手続補正１】
【補正対象書類名】特許請求の範囲
【補正対象項目名】全文
【補正方法】変更
【補正の内容】
【特許請求の範囲】
【請求項１】
金庫であって、
内部空洞を規定する筐体であって、前記内部空洞は、前記筐体における開口部と連通する、筐体と、
前記筐体に組み立てられたドアであって、前記内部空洞が封入された閉鎖位置と、前記内部空洞がアクセス可能である開放位置との間を移動可能であり、前記ドアは、ユーザ操作可能ロック機構を含み、前記ロック機構は、少なくとも１つのロック部材を備え、前記少なくとも１つのロック部材は、前記ロック機構がロック状態にあり、前記ドアが前記閉鎖位置にある場合に、前記筺体をしっかりと係合する、ドアと、
少なくとも部分的に前記筐体の外壁によって保持されたユーザ操作可能解除機構と
を備え、
前記解除機構は、前記ロック機構が前記ロック状態からロック解除状態に移動された場合に、前記少なくとも１つのロック部材を前記筺体から係脱し、それによって、前記閉鎖位置から前記開放位置に前記ドアが移動されることを可能にする、金庫。
【請求項２】
前記筐体に接続されたカバーをさらに備え、前記カバーは、覆っている位置において前記ユーザ操作可能ロック機構を覆い、覆われていない位置において前記ユーザ操作可能ロック機構の少なくとも一部を露出させるために旋回可能である、請求項１に記載の金庫。
【請求項３】
前記ユーザ操作可能ロック機構は、組み合わせダイヤル配置を備え、前記組み合わせダイヤル配置は、複数の組み合わせダイヤルを備えている、請求項１に記載の金庫。
【請求項４】
前記ユーザ操作可能解除機構は、前記筺体の外壁に配置された少なくとも１つのボタンを備えている、請求項１に記載の金庫。
【請求項５】
前記少なくとも１つのボタンの各々は、前記ロック機構が前記ロック解除状態である場合、前記少なくとも１つのロック部材のうちの対応する１つを前記外壁の内部表面から係脱するように動作可能であることによって、前記閉鎖位置から前記開放位置への前記ドアの移動を可能にする、請求項４に記載の金庫。
【請求項６】
前記少なくとも１つのボタンは、前記外壁の外部表面と実質的に同一平面上にある外部表面を含んでいる、請求項５に記載の金庫。
【請求項７】
前記少なくとも１つのボタンは、突起を含み、前記突起は、ユーザ係合可能なボタン本体から外壁における開口部を通って延在し、前記少なくとも１つのロック部材のうちの対応する１つを係合する、請求項５に記載の金庫。
【請求項８】
前記少なくとも１つのボタンの前記突起は、前記ボタン本体に分離可能に接続されていることにより、前記外壁から前記少なくとも１つのボタンを強引にはずそうとすることは、対応するボタン本体が対応する突起から分離し、前記外壁における開口部がブロックされたままであるようにする、請求項７に記載の金庫。
【請求項９】
バネ負荷部材をさらに備え、前記バネ負荷部材は、前記ロック機構が前記ロック解除状態にある場合、前記解除機構のユーザ操作によって、前記閉鎖位置から前記開放位置に前記ドアを移動させるように構成されている、請求項１に記載の金庫。
【請求項１０】
金庫であって、
内部空洞を規定する筐体であって、前記内部空洞は、前記筐体の外部表面における開口部と連通し、前記開口部は、前記筺体の対向する第１の側壁と第２の側壁との間に配置されている、筐体と、
前記筐体に組み立てられたドアであって、前記開口部を覆う閉鎖位置と、前記開口部の少なくとも一部分を露出させる開放位置との間を移動可能であるドアと、
前記ドアによって保持されたロック機構であって、前記ロック機構は、少なくとも部分的に前記ドアの外表面上に配置され、ロック状態からロック解除状態に前記ロック機構を移動させるように動作可能であるユーザ操作可能ロックインターフェースと、前記ドアが前記閉鎖位置にある場合に、対応する前記筺体の第１および第２の側壁を前記ロック状態にロック係合するように構成されている第１および第２のロック部材とを備えている、ロック機構と、
第１および第２のサイドボタンと
を備え、
前記第１および第２のサイドボタンは、少なくとも部分的に、対応する前記筺体の第１および第２の側壁内に配置され、各サイドボタンは、前記第１および第２の側壁のうちの対応する１つから、前記第１および第２のロック部材のうちの対応する１つを係脱するように動作可能であることにより、前記ロック機構がロック解除状態である場合、前記閉鎖位置から前記開放位置への前記ドアの移動を可能にする、金庫。
【請求項１１】
前記ユーザ操作可能ロックインターフェースは、支柱の周りに据え付けられた複数の組み合わせダイヤルを備え、前記複数の組み合わせダイヤルの各々は、平面戻り止めを規定し、各戻り止めは、前記ロック機構がロック解除状態である場合に整列する、請求項１０に記載の金庫。
【請求項１２】
ブロッカーをさらに備え、前記ブロッカーは、前記ロック機構が前記ロック状態である場合、前記複数の組み合わせダイヤルのうちの少なくとも１つによって、ロック部材ブロック状態に保持されている、請求項１１に記載の金庫。
【請求項１３】
前記第１および第２のサイドボタンは、同軸で配置されている、請求項１０に記載の金庫。
【請求項１４】
ドア開放機構をさらに備え、前記ドア開放機構は、バネ負荷部材を備え、前記バネ負荷部材は、前記第１および第２のサイドボタンのユーザ操作によって、前記閉鎖位置から前記開放位置に前記ドア移動させるように構成されている、請求項１０に記載の金庫。
【請求項１５】
前記第１および第２のサイドボタンの各々は、前記第１および第２の側壁のうちの対応する１つの外部表面と実質的に同一平面上にある外部表面を含んでいる、請求項１０に記載の金庫。
【請求項１６】
前記第１および第２のサイドボタンの各々は、突起を含み、前記突起は、ユーザ係合可能なボタン本体から前記第１および第２の側壁のうちの対応する１つにおける開口部を通って延在し、前記第１および第２のロック部材のうちの対応する１つを係合する、請求項１０に記載の金庫。
【請求項１７】
前記第１および第２のサイドボタンの前記突起は、対応するボタン本体に分離可能に接続されていることにより、前記第１および第２のサイドボタンのうちの１つを対応する側壁から強引にはずそうとすることは、対応するボタン本体が対応する突起から分離し、対応する前記側壁における開口部がブロックされたままであるようにする、請求項１６に記載の金庫。
【請求項１８】
ロックであって、
筐体と、
少なくとも部分的に前記筺体内に配置されたロック機構であって、前記ロック機構は、
ロック状態からロック解除状態に前記ロック機構を移動させるように動作可能であるユーザ操作可能ロックインターフェースと、前記ロック状態に対応するロック凹部をロック係合するように構成されている少なくとも１つのロック部材とを備えている、ロック機構と、
前記筺体の固定外壁を通って延在する少なくとも１つのボタンと
を備え、
前記少なくとも１つのボタンは、前記ロック機構が前記ロック解除状態である場合、前記少なくとも１つのロック部材を機械的に駆動し、前記対応するロック凹部との係合を解除するように動作可能である、ロック。
【請求項１９】
前記ロック凹部は、前記固定外壁の内部表面において配置されている、請求項１８に記載のロック。
【請求項２０】
前記筐体に組み立てられたドアをさらに備え、前記ドアは、前記ロック機構が前記ロック解除状態にある場合、前記筺体の内部へのアクセスをブロックする閉鎖位置から、開放位置に移動可能である、請求項１８に記載のロック。
【請求項２１】
前記ロック機構は、前記ドアによって保持されている、請求項２０に記載のロック。
【請求項２２】
前記少なくとも１つのロック部材は、第１および第２のロック部材を備え、前記第１および第２のロック部材は、前記筺体の前記固定外壁の対応する対向する第１および第２の側壁部分に向かって延在し、前記少なくとも１つのボタンは、第１および第２のサイドボタンを備え、前記第１および第２のサイドボタンは、前記対応する前記第１および第２の側壁部分を通って延在する、請求項１８に記載のロック。
【手続補正２】
【補正対象書類名】明細書
【補正対象項目名】０００４
【補正方法】変更
【補正の内容】
【０００４】
本発明の例証される実施形態では、金庫は、二重安全特徴を有し、金庫内に保管された内容物への不正アクセスを阻止する。金庫は、組み合わせロック等のユーザロックインターフェースと、１つ以上のサイドインターフェースボタン等のユーザ解除機構とを含み得る。ボタンは、ロックインターフェースの適切な操作に先立って、いじくられた場合、失敗するように設計され得る。金庫は、実施例として、壁に据え付けられた掛け金に固着されるシャックル、ドアハンドルの周囲に位置付けられるシャックル、または壁に直接据え付けられる筐体等、いくつかの装置によって、場所に固着され得る。据え付け装置は、金庫の盗難のリスクを減少させる。
本発明はさらに、例えば、以下を提供する。
（項目１）
金庫であって、
内部空洞を規定する筐体であって、前記内部空洞は、前記筐体の外部表面における開口部と連通する、筐体と、
前記筐体に組み立てられたドアであって、前記内部空洞が封入された閉鎖位置と、前記内部空洞がアクセス可能である開放位置との間を移動可能であるドアと、
少なくとも部分的に前記筐体内に配置されたユーザ操作可能ロック機構であって、前記ロック機構は、少なくとも１つのロック部材を備え、前記少なくとも１つのロック部材は、前記ドアが前記閉鎖位置にある場合に、前記ドアをロック状態にしっかりと係合するように構成されている、ユーザ操作可能ロック機構と、
少なくとも部分的に前記筐体内に配置されたユーザ操作可能解除機構であって、前記解除機構は、少なくとも１つの解除部材を備え、前記少なくとも１つの解除部材は、前記ドアが前記閉鎖位置にある場合に、前記ドアを前記ロック状態にしっかりと係合するように構成されている、ユーザ操作可能解除機構と
を備え、
前記ドアが前記ロック状態にある場合、前記ユーザ操作可能ロック機構の適切な操作と前記ユーザ操作可能解除機構の適切な操作との両方が、前記ロック状態からロック解除状態に前記ドアを係脱し、前記閉鎖位置から前記開放位置に前記ドアが移動されることを可能にする、金庫。
（項目２）
前記筐体に接続されたカバーをさらに備え、前記カバーは、覆っている位置において前記ユーザ操作可能ロック機構を覆い、覆われていない位置において前記ユーザ操作可能ロック機構の少なくとも一部を露出させるために移動可能である、項目１に記載の金庫。
（項目３）
前記カバー部材は、前記覆っている位置から前記覆われていない位置に回転可能である、項目２に記載の金庫。
（項目４）
前記ユーザ操作可能ロック機構は、組み合わせダイヤル配置を備えている、項目１に記載の金庫。
（項目５）
前記組み合わせダイヤル配置は、複数の組み合わせダイヤルを備えている、項目４に記載の金庫。
（項目６）
前記ユーザ操作可能ロック機構は、適切な配向への前記複数の組み合わせダイヤルのユーザ回転によって適切に操作される、項目５に記載の金庫。
（項目７）
前記ユーザ操作可能解除機構は、一式のボタンを備え、前記一式のボタンは、前記一式のボタンの各々のユーザ押下によって、前記ユーザ操作可能解除機構が適切に操作されるように配置されている、項目１に記載の金庫。
（項目８）
バネ負荷部材をさらに備え、前記バネ負荷部材は、前記ドアが前記ロック解除状態にある場合に、前記閉鎖位置から前記開放位置に前記ドアを移動させるように構成されている、項目１に記載の金庫。
（項目９）
前記バネ負荷部材は、ねじりバネであり、前記ねじりバネは、前記筐体内に配置され、前記ドアの内側表面に接触している、項目８に記載の金庫。
（項目１０）
金庫であって、
内部空洞を規定する筐体であって、前記内部空洞は、前記筐体の外部表面における開口部と連通する、筐体と、
前記筐体に組み立てられたドアであって、閉鎖位置と開放位置との間を移動可能であるドアと、
少なくとも部分的に前記筐体内に配置された第１のロック機構であって、前記第１のロック機構は、少なくとも１つのロック部材を備え、前記少なくとも１つのロック部材は、前記ドアが前記閉鎖位置にある場合に、前記ドアをロック状態にしっかりと係合するように構成されている、第１のロック機構と、
少なくとも部分的に前記筐体内に配置された第２のロック機構であって、前記第２のロック機構は、少なくとも１つの解除部材を備え、前記少なくとも１つの解除部材は、前記ドアが前記閉鎖位置にある場合に、前記ドアを前記ロック状態にしっかりと係合するように構成されている、第２のロック機構と、
前記筐体内に配置されたドア開放機構と
を備え、
前記第１のロック機構と前記第２のロック機構との連続した適切な操作が、前記ドアを前記ロック状態から係脱し、前記ドア開放機構が、前記閉鎖位置から前記開放位置に前記ドアを移動させることを可能にする、金庫。
（項目１１）
前記筐体を構造に据え付けるための据え付け装置を備え、前記筐体の前記構造からの分解を防止するために、前記ドアが前記ロック状態にある場合、前記据え付け装置へのアクセスは制限される、項目１０に記載の金庫。
（項目１２）
前記据え付け装置は、シャックルを備えている、項目１１に記載の金庫。
（項目１３）
金庫であって、
内部空洞を規定する筐体であって、前記内部空洞は、前記筐体の外部表面における開口部と連通する、筐体と、
前記筐体に組み立てられたドアであって、前記内部空洞を封入する閉鎖位置と、前記内部空洞を露出させる開放位置との間を移動可能であるドアと、
前記筐体内に配置されたロック機構であって、前記ロック機構は、少なくとも部分的に前記筐体の外部表面上に配置されたユーザ操作可能ロックインターフェースと、少なくとも１つのロック部材とを備え、前記少なくとも１つのロック部材は、前記ドアが前記閉鎖位置にある場合に、前記ドアをロック状態にロック係合するように構成されている、ロック機構と、
前記筐体内に配置された解除機構であって、前記解除機構は、少なくとも部分的に前記筐体の外部表面上に配置されたユーザ操作可能解除インターフェースと、少なくとも１つの解除部材とを備え、前記少なくとも１つの解除部材は、前記ドアが前記閉鎖位置にある場合に、前記ドアを前記ロック状態にしっかりと係合するように構成されている、解除機構と、
前記筐体内に配置されたドア開放機構と
を備え、
前記ドアが前記ロック状態にある場合、前記ユーザ操作可能ロックインターフェースの最初の適切な操作と、前記解除機構の次の適切な操作とが、前記ドアを前記ロック状態から係脱し、前記ドア開放機構によって、前記閉鎖位置から前記開放位置に前記ドアが押し進められることを可能にする、金庫。
（項目１４）
前記ユーザ操作可能ロックインターフェースは、支柱の周りに据え付けられた複数の組み合わせダイヤルを備え、前記複数の組み合わせダイヤルの各々は、平面戻り止めを規定し、各戻り止めは、前記複数の組み合わせダイヤルの各々が適切な配向に回転された場合に整列する、項目１３に記載の金庫。
（項目１５）
前記ユーザ操作可能解除インターフェースは、前記複数の組み合わせダイヤルの各々が、適切な配向に回転された場合にのみ、適切に操作され得る、項目１４に記載の金庫。
（項目１６）
前記少なくとも１つのロック部材は、ダイヤルブロッカーを備え、前記ダイヤルブロッカーは、前記複数の組み合わせダイヤルが前記適切な配向以外に回転されている場合、前記ユーザ操作可能解除インターフェースの適切な操作を阻止する位置に付勢されている、項目１４に記載の金庫。
（項目１７）
前記ユーザ操作可能解除インターフェースは、一式のボタンを備え、前記一式のボタンは、ユーザが前記一式のボタンの各々を押下した場合にのみ、前記解除機構が適切に操作され得るように配置されている、項目１３に記載の金庫。
（項目１８）
前記一式のボタンの各々は、前記複数の組み合わせダイヤルの各々が前記適切な配向に回転された場合にのみ、押下され得る、項目１７に記載の金庫。
（項目１９）
前記少なくとも１つの解除部材は、ラッチを備え、前記ラッチは、前記閉鎖位置から前記開放位置に前記ドアが移動することをブロックするために付勢されている、項目１７に記載の金庫。
（項目２０）
前記ドア開放機構は、バネ負荷部材を備え、前記バネ負荷部材は、前記ユーザ操作可能解除インターフェースの適切な操作によって、前記閉鎖位置から前記開放位置に前記ドア移動させるように構成されている、項目１３に記載の金庫。
【国際調査報告】
2013509516.tif 000016